(57)【特許請求の範囲】
【請求項１】
給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯熱交換器を共通に加熱するバーナーが設けられている一缶二水路給湯器において、非給湯側運転指示が与えられたときに上記循環ポンプを駆動させるとともに直ちにバーナ燃焼を報知するための非給湯側燃焼ランプを報知動作開始させる非給湯側ランプ作動手段が設けられており、非給湯側運転中における燃焼停止時の循環ポンプの駆動中には、上記非給湯側燃焼ランプの報知動作が行なわれることを特徴とする一缶二水路給湯器。
【請求項２】
給湯熱交換器の湯温を検出する給湯熱交換器湯温検出手段と、給湯が行われず非給湯側運転のみを行う非給湯側単独運転中に該給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる非給湯側単独運転燃焼制御部とが設けられていることを特徴とする請求項１記載の一缶二水路給湯器。
【請求項３】
給湯熱交換器の湯温を検出する給湯熱交換器湯温検出手段と、給湯が行われず非給湯側運転のみを行う非給湯側単独運転中に該給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御部とが設けられていることを特徴とする請求項１記載の一缶二水路給湯器。
【請求項４】
非給湯側単独運転中に給湯熱交換器湯温検出手段により検出される給湯熱交換器の経時的に正弦波状に変化する湯温データの振幅、周期、湯温上昇傾き、湯温下降傾きの少なくとも１つ又は湯温データの経時的な基準パターンに対する経時的な検出の湯温データのパターンとの違いに基づいて非給湯側循環通路の熱媒体の流れを検知する非給湯側流れ検知手段が設けられており、非給湯側燃焼ランプの報知動作開始から予め定められた時間内に該非給湯側流れ検知手段によって非給湯側循環通路の熱媒体の流れが検知されなかったときには非給湯側燃焼ランプの報知動作を停止させる非給湯側ランプ停止手段が設けられていることを特徴とする請求項２又は請求項３記載の一缶二水路給湯器。
【請求項５】
給湯の出湯温度を検出する給湯出湯温度検出手段を有し、給湯運転中に非給湯側運転指示が与えられたときに該給湯出湯温度検出手段によって検出される給湯出湯温度の下降変化に基づいて非給湯側循環通路の熱媒体の流れを検知する非給湯側流れ検知手段が設けられており、非給湯側燃焼ランプの報知動作開始から予め定められた時間内に該非給湯側流れ検知手段によって非給湯側循環通路の熱媒体の流れが検知されなかったときには非給湯側燃焼ランプの報知動作を停止させる非給湯側ランプ停止手段が設けられていることを特徴とする請求項１乃至請求項４のいずれか１つに記載の一缶二水路給湯器。
【請求項６】
非給湯側燃焼ランプの報知動作開始から予め定められた時間内に非給湯側流れ検知手段によって非給湯側循環通路の熱媒体の流れが検知されなかったときには非給湯側異常信号を出力する非給湯側運転異常判断部が設けられていることを特徴とする請求項４又は請求項５記載の一缶二水路給湯器。
【請求項７】
非給湯側運転異常判断部から非給湯側異常信号が出力されたときに非給湯側運転を強制的に停止させる非給湯側強制停止手段が設けられていることを特徴とする請求項６記載の一缶二水路給湯器。
【請求項８】
非給湯側運転異常判断部から非給湯側異常信号が出力されたときに非給湯側運転の異常を報知する非給湯側異常報知手段が設けられていることを特徴とする請求項６又は請求項７記載の一缶二水路給湯器。
【請求項９】
非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転としたことを特徴とする請求項１乃至請求項８のいずれか１つに記載の一缶二水路給湯器。
【発明の詳細な説明】
【０００１】
【発明の属する技術分野】
本発明は、給湯熱交換器と追い焚き熱交換器等の非給湯側熱交換器が一体化され、その一体化した熱交換器を共通のバーナーで加熱する一缶二水路給湯器に関するものである。
【０００２】
【従来の技術】
図７には本出願人らが開発している一缶二水路給湯器としての一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と非給湯側熱交換器としての追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して追い焚き熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡するバイパス通路１５が設けられており、上記バイパス通路１５には通路の開閉を行うバイパス弁１６が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と循環ポンプ２０と管路１８と追い焚き熱交換器４と管路２３により非給湯側循環通路としての追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を検出する水位センサ２８とが設けられている。
【０００８】
なお、図中に示す３０は燃焼室１内の風量を検出する風量センサであり、３１は給水通路１３に設けられて給水の流量を検出する水量センサであり、３２は給水通路１３の水の温度を検出する入水温度センサであり、３４は給湯通路１４に設けられて通水流量を制御する流量制御弁であり、３５は給湯通路１４に設けられて給湯が行われていることを水流により検出する給湯確認スイッチであり、３６は追い焚き循環通路２４の水流の有無を検出する流水スイッチであり、３７は追い焚き循環通路２４の湯水温を浴槽湯水の温度（風呂温度）として検出する風呂温度センサであり、３８は給湯熱交換器３で作り出された湯の温度（給湯の出湯温度）を検出する給湯出湯温度検出手段としての出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段等が設けられている。
【００１０】
上記制御装置４０は各種センサのセンサ出力信号やリモコン４１の情報を取り込み、それら情報と予め与えられているシーケンスプログラムに従って、給湯運転や、湯張り運転や、追い焚き運転等の各種の器具運転の動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温が前記給湯温度設定手段に設定されている給湯設定温度となるように比例弁１２の開弁量を制御して（バーナー２への供給ガス量を制御して）バーナー２の燃焼能力を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯運転を終了し次の給湯に備える。
【００１４】
湯張り運転を行うときには、例えば、注湯制御弁２６を開弁し、この注湯制御弁２６の開弁動作により水供給源から給水通路１３に水が流れ込んで水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。そして、水位センサ２８が検出する浴槽２２の水位がリモコン４１に設定されている設定水位に達したときに、注湯制御弁２６を閉じ、電磁弁１０を閉じてバーナー２の燃焼を停止させ、湯張り運転を終了する。
【００１６】
追い焚き運転を行うときには、例えば、図８に示すようなフローチャートに基づいて追い焚き運転を行う。すなわち、図８のステップ２０１で、リモコン４１などに設けられている追い焚きスイッチがオンされて、給湯器に追い焚き指示が与えられると、ステップ２０２で、循環ポンプ２０をオン駆動させて浴槽２２内の湯水を追い焚き循環通路２４を通して循環させ、ステップ２０３で、流水スイッチ３６によって追い焚き循環通路２４の湯水の流れを検知した後、ステップ２０４で、バーナー２の着火を行い（着火トライ）、バーナー２の燃焼を開始させる。
【００１７】
そして、ステップ２０５で、バーナー２の近傍に設けられているフレームロッド電極がオンしたか否かの判断を行うことによりバーナー２の燃焼が開始されたことを確認し、フレームロッド電極がオンしたときには、ステップ２０６で、リモコン４１などに設けられている追い焚き燃焼ランプをオンさせる。すなわち、追い焚き燃焼ランプの点灯等による追い焚き報知動作を開始させる。また、バーナー２の燃焼開始によって、バーナー２の燃焼火炎により追い焚き熱交換器４の循環湯水を加熱して追い焚きを行い、風呂温度センサ３７により検出される風呂温度が前記風呂温度設定手段により設定されている設定温度に達したときに、ステップ２０７で、追い焚き運転が終了したと判断し、バーナー２の燃焼を停止させるとともに、ステップ２０８で、前記追い焚き燃焼ランプをオフ（追い焚き報知動作停止）させ、循環ポンプ２０をオフ（停止）させる。
【００１８】
なお、前記図８のステップ２０３で、流水スイッチ３６がオンせず、追い焚き循環通路２４の湯水の流れが検知されないときには、ステップ２１１に進み、ステップ２０２から１０分経過したときには、ステップ２１２で循環ポンプ２０をオフする。また、前記ステップ２０５で、フレームロッド電極がオンしないときには、ステップ２０９に進み、ステップ２０４から５秒経過したときには、バーナー２の点着火動作を行ったにもかかわらず、バーナー２の燃焼開始が行われないため、給湯器の故障と判断し、ステップ２１０でエラー報知を行う。
【００１９】
従来の一缶二水路風呂給湯器においては、以上のようにして給湯や湯張りや追い焚きの各運転が行われ、前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減が図れることになる。
【００２０】
また、図９には、一缶二水路給湯器としての給湯暖房機の一例が示されており、同図において、図７の一缶二水路風呂給湯器と同一名称部分には同一符号が付してある。また、図中、５７は非給湯側熱交換器としての暖房用熱交換器を示しており、５２は暖房オン・オフバルブ、５３は放熱器、５４はファン、５５はシスターンタンク、５６はバイパス通路をそれぞれ示している。暖房用循環通路５１を循環する熱媒体としては、例えば、エチレングリコールとプロピレングリコールに水を加えたものが用いられる。
【００２１】
【発明が解決しようとする課題】
ところで、従来の一缶二水路風呂給湯器においては、前記の如く、追い焚き運転を行うときには、循環ポンプ２０の駆動によって生じる追い焚き循環通路２４の湯水の流れを流水スイッチ３６によって検知した後、バーナー２の燃焼を開始させ、バーナー２の燃焼開始が確認されたときに追い焚き燃焼ランプをオンさせているため、循環ポンプ２０をオンさせてから直ちに流水スイッチ３６により追い焚き循環通路２４の湯水の流れが検知されないときには、バーナー２の燃焼が開始されず、追い焚き燃焼ランプの追い焚き報知動作も開始されないことになる。そのため、例えば追い焚き循環通路２４内が完全には湯水で満たされておらず、循環ポンプ２０の駆動開始から流水スイッチ３６により流水検知が行われるまでに時間がかかったりすると、給湯器の利用者が追い焚きスイッチをオンしたにもかかわらず、追い焚き燃焼ランプが作動しないことから給湯器の利用者は給湯器に故障が生じてしまったと誤判断することになり、利用者に不安を与えてしまうといった問題があった。
【００２２】
本発明は上記課題を解決するために成されたものであり、その目的は、追い焚き燃焼運転等の非給湯側運転の異常が生じていないときに給湯器の故障などの誤判断を招くようなことのない、利用者が安心して利用することができる一缶二水路給湯器を提供することにある。
【００２３】
【課題を解決するための手段】
上記目的を達成するために、本発明は次のような構成をもって課題を解決するための手段としている。すなわち、本第１の発明は、給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯熱交換器を共通に加熱するバーナーが設けられている一缶二水路給湯器において、非給湯側運転指示が与えられたときに上記循環ポンプを駆動させるとともに直ちにバーナ燃焼を報知するための非給湯側燃焼ランプを報知動作開始させる非給湯側ランプ作動手段が設けられており、非給湯側運転中における燃焼停止時の循環ポンプの駆動中には、上記非給湯側燃焼ランプの報知動作が行なわれる構成をもって課題を解決するための手段としている。
【００２５】
さらに、本第２の発明は、上記本第１の発明の構成に加え、給湯熱交換器の湯温を検出する給湯熱交換器湯温検出手段と、給湯が行われず非給湯側運転のみを行う非給湯側単独運転中に該給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる非給湯側単独運転燃焼制御部とが設けられている構成をもって課題を解決するための手段としている。
【００２６】
さらに、本第３の発明は、上記本第１の発明の構成に加え、給湯熱交換器の湯温を検出する給湯熱交換器湯温検出手段と、給湯が行われず非給湯側運転のみを行う非給湯側単独運転中に該給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御部とが設けられている構成をもって課題を解決するための手段としている。
【００２７】
さらに、本第４の発明は、上記本第２の発明又は第３の発明の構成に加え、非給湯側単独運転中に給湯熱交換器湯温検出手段により検出される給湯熱交換器の経時的に正弦波状に変化する湯温データの振幅、周期、湯温上昇傾き、湯温下降傾きの少なくとも１つ又は湯温データの経時的な基準パターンに対する経時的な検出の湯温データのパターンとの違いに基づいて非給湯側循環通路の熱媒体の流れを検知する非給湯側流れ検知手段が設けられており、非給湯側燃焼ランプの報知動作開始から予め定められた時間内に該非給湯側流れ検知手段によって非給湯側循環通路の熱媒体の流れが検知されなかったときには非給湯側燃焼ランプの報知動作を停止させる非給湯側ランプ停止手段が設けられている構成をもって課題を解決するための手段としている。
【００２８】
さらに、本第５の発明は、上記本第１の発明乃至第４の発明の何れか一つの構成に加え、給湯の出湯温度を検出する給湯出湯温度検出手段を有し、給湯運転中に非給湯側運転指示が与えられたときに該給湯出湯温度検出手段によって検出される給湯出湯温度の下降変化に基づいて非給湯側循環通路の熱媒体の流れを検知する非給湯側流れ検知手段が設けられており、非給湯側燃焼ランプの報知動作開始から予め定められた時間内に該非給湯側流れ検知手段によって非給湯側循環通路の熱媒体の流れが検知されなかったときには非給湯側燃焼ランプの報知動作を停止させる非給湯側ランプ停止手段が設けられている構成をもって課題を解決するための手段としている。
【００２９】
さらに、本第６の発明は、上記本第４の発明又は第５の発明の構成に加え、非給湯側燃焼ランプの報知動作開始から予め定められた時間内に非給湯側流れ検知手段によって非給湯側循環通路の熱媒体の流れが検知されなかったときには非給湯側異常信号を出力する非給湯側運転異常判断部が設けられている構成をもって課題を解決するための手段としている。
【００３０】
さらに、本第７の発明は、上記本第６の発明の構成に加え、非給湯側運転異常判断部から非給湯側異常信号が出力されたときに非給湯側運転を強制的に停止させる非給湯側強制停止手段が設けられている構成をもって課題を解決するための手段としている。
【００３１】
さらに、本第８の発明は、上記本第６の発明又は第７の発明の構成に加え、上記非給湯側運転異常判断部から非給湯側異常信号が出力されたときに非給湯側運転の異常を報知する非給湯側異常報知手段が設けられている構成をもって課題を解決するための手段としている。
【００３２】
さらに、本第９の発明は、上記本第１の発明乃至第８の発明のいずれか１つの構成に加え、非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転とした構成をもって課題を解決するための手段としている。
【００３３】
上記構成の本発明においては、非給湯側運転指示が与えられたときに、循環ポンプを駆動させるとともに、非給湯側ランプ作動手段によって直ちに非給湯側燃焼ランプが報知動作開始させられる。
【００３４】
このように、本発明においては、非給湯側運転指示が与えられてから非給湯側循環通路の熱媒体の流れを検知せずに非給湯側燃焼ランプを報知動作開始させるので、たとえ非給湯側運転指示が与えられた直後に例えば流水スイッチなどによって非給湯側循環通路の熱媒体の流れの検知が行われなくとも、非給湯側燃焼ランプの報知動作が開始されるために、従来の給湯器のように風呂等の非給湯側の利用者が非給湯側運転指示を与えたにも拘わらず非給湯側燃焼ランプが報知動作しないといったことはなく、それにより利用者が給湯器の故障が生じたのではないかと誤判断することを防止することができるようになり、利用者が給湯器を安心して利用することが可能となり、上記課題が解決される。
【００３５】
【発明の実施の形態】
以下、本発明の実施の形態を図面に基づいて説明する。なお、本実施形態例の説明において、前記提案例の給湯器と同一名称部分には同一符号を付し、その重複説明は省略する。本実施形態例の一缶二水路給湯器は一缶二水路風呂給湯器であり、図７に示した提案例の一缶二水路風呂給湯器と同様のシステム構成を有しているが、本実施形態例においては、給湯熱交換器３の湯温を検出する給湯熱交換器湯温検出手段としての図７の破線に示す給湯熱交湯温センサ３３を給湯熱交換器３のＵ字管に設けており、また、図７において、追い焚き循環通路２４に設けられている流水スイッチ３６を省略して一缶二水路風呂給湯器を構成している。また、本実施形態例の一缶二水路風呂給湯器は、図１に示す特有な制御構成を有している。
【００３６】
図１に示すように、本実施形態例の一缶二水路給湯器の制御装置４０は、追い焚き燃焼強制開始手段４６、燃焼制御部４２、追い焚きランプ作動手段５１、追い焚きランプ停止手段５２、追い焚き単独運転燃焼制御部４５、追い焚き単独運転監視部４３、データ格納部４４、追い焚き流水検知手段５３、追い焚き運転異常判断部４９、追い焚き強制停止手段４８を有して構成されており、リモコン４１には、追い焚き燃焼ランプ５４と追い焚き異常報知手段５０が設けられている。
【００３７】
追い焚きランプ作動手段５１は、非給湯側ランプ作動手段として機能するものであり、リモコン４１から非給湯側運転指示としての追い焚き指示が与えられたときに、循環ポンプ２０を駆動させるとともに直ちに追い焚き燃焼ランプ５４を、例えば点灯などの追い焚き報知動作を開始させる。また、追い焚きランプ作動手段５１は、追い焚き運転終了時に追い焚き燃焼ランプ５４の追い焚き報知動作を停止させる。
【００３８】
燃焼制御部４２には、給湯や追い焚きなどの様々な運転のシーケンスプログラムが与えられており、燃焼制御部４２はリモコン４１の情報や風呂温度センサ３７などのセンサ出力を取り込んで、それら取り込んだ情報とシーケンスプログラムに従って給湯器の燃焼運転動作を制御する。
【００３９】
追い焚き燃焼強制開始手段４６は、非給湯側燃焼強制開始手段として機能するものであり、リモコン４１から追い焚き指示が与えられたときに、循環ポンプ２０を駆動させるともに、燃焼制御部４２にバーナー燃焼運転開始指令を加え、それにより、追い焚き循環通路２４の湯水の流れを検知せずにバーナー燃焼運転を直ちに開始させる。
【００４０】
追い焚き単独運転監視部４３は、上記燃焼制御部４２の運転情報を取り込み、この情報に基づき、例えば、循環ポンプ２０の駆動を検知している状態で給湯確認スイッチ３５又は水量センサ３１が通水を検知していないときには、器具が追い焚き単独運転をしていると検知し、それ以外のときには器具は追い焚き単独運転をしていないと検知する。
【００４１】
データ格納部４４には、バーナー燃焼を停止させる設定温度としてのオフ温度とバーナー燃焼を再開させる設定温度としてのオン温度が予め定められて格納されている。例えば、上記オフ温度は、追い焚き単独運転中に給湯熱交換器３のピーク温度領域の滞留湯が沸騰に近い状態であることを示す予め定めた湯温（例えば、９０℃）になったときに給湯熱交湯温センサ３３により検出される湯温である。上記オン温度は、上記オフ温度よりも予め定めた温度（例えば、３℃）分だけ低下させた湯温である。
【００４２】
追い焚き単独運転燃焼制御部４５は、非給湯側単独運転燃焼制御部として機能するものであり、時々刻々と、給湯熱交湯温センサ３３のセンサ出力を給湯熱交換器３の湯温として検出し、また、データ格納部４４のオン温度とオフ温度および追い焚き単独運転監視部４３の監視情報を時々刻々と取り込み、取り込まれた検出給湯熱交換器湯温を前記オフ温度に比較し、上記追い焚き単独運転監視部４３の監視情報に基づき追い焚き単独運転中であると検知しているときに、給湯熱交換器３の湯温がオフ温度以上になったと判断したときに、給湯熱交換器３の滞留湯水が沸騰に近い状態になったので給湯熱交換器３の滞留湯水の湯温を低下させるためにバーナー２の燃焼を停止させる必要があると判断し、電磁弁１０を閉弁させバーナー２の燃焼を停止させる。
【００４３】
また、追い焚き単独運転燃焼制御部４５はバーナー燃焼停止信号を燃焼制御部４２に出力する。燃焼制御部４２は上記バーナー燃焼停止信号を受け、バーナー２の燃焼停止が追い焚き単独運転制御によりなされたものであり、器具の異常ではないと判断し、循環ポンプ２０の駆動等の器具運転動作と追い焚き燃焼ランプ５４の点灯を継続して行う。このため、上記追い焚き単独運転中のバーナー２の停止期間に循環ポンプ２０の駆動は継続されるとともに、追い焚き燃焼ランプ５４が引き続き点灯しており、利用者に対して不安を与えるのを防いでいる。
【００４４】
さらに、追い焚き単独運転燃焼制御部４５は、追い焚き単独運転中のバーナー２の燃焼停止中にも引き続き給湯熱交湯温センサ３３のセンサ出力と、データ格納部４４のオフ温度およびオン温度との取り込みを行って、給湯熱交湯温センサ３３により検出される給湯熱交換器３の湯温を前記オン温度に比較し、給湯熱交換器３の湯温がオン温度以下に低下したと判断したときに、バーナー２の燃焼を再開させてもよいと判断し、点着火手段（図示せず）を用いてバーナー２の点着火を行いバーナー２の燃焼を再開させる。
【００４５】
上記のように、追い焚き単独運転燃焼制御部４５は、追い焚き単独運転中に、バーナー２のオン・オフ燃焼制御を行う。
【００４６】
追い焚き流水検知手段５３は、非給湯側流れ検知手段として機能するものであり、追い焚き単独運転監視部４３の監視情報を受けて、追い焚き単独運転中に、給湯熱交湯温センサ３３により検出される給湯熱交換器３の湯温を取り込み、この検出湯温データに基づいて追い焚き循環通路２４の湯水の流れを検知する。
【００４７】
この追い焚き単独運転中の追い焚き循環通路２４の湯水の流れの検知に際し、前記データ格納部４４には、追い焚き単独運転中の給湯熱交換器３の湯温データの基準パターンが予め与えられており、追い焚き流水検知手段５３は、追い焚き単独運転中に給湯熱交湯温センサ３３によって検出される給湯熱交換器３の湯温を時々刻々と取り込み、この検出湯温データが前記基準パターンから予め定められた許容範囲を越えて異なるときには追い焚き循環通路２４に熱媒体としての湯水がない、又は湯水の流れがないと判断し、前記検出湯温データが前記基準パターンから前記許容範囲を越えて異なるものではないときには、追い焚き循環通路２４の湯水の流れがあると判断する。
【００４８】
前記データ格納部４４には、追い焚き単独運転中の給湯熱交換器３の湯温データの基準パターンが予め与えられている。この基準パターンは、例えば図３の（ａ）に示すような正弦波状のパターンによって与えられており、例えば追い焚き循環通路２４の湯水循環流量が基準流量（例えば４リットル／ｍｉｎ）のときの追い焚き単独運転中の給湯熱交換器３の湯温データが予め実験等により求められ、基準パターンとして与えられている。なお、本明細書において、正弦波状の波形とは、図３の（ａ）に示したような波形のみならず、図３の（ｂ）に示すような形の崩れた正弦波状の波形、いわゆる交番状波形も含む広い概念で用いている。
【００４９】
ところで、一缶二水路風呂給湯器においては、バーナー２の燃焼火炎によって給湯熱交換器３の水管内の湯水が加熱され、追い焚き循環通路２４の循環湯水が、給湯熱交換器３の水管内の湯水の熱を吸熱して追い焚きが行われるため、追い焚き循環通路２４の湯水循環流量によって追い焚き単独運転中の給湯熱交換器３の湯温データが異なる。
【００５０】
例えば、追い焚き循環通路２４の湯水循環流量が少ないときには、前記吸熱量が少ないために、例えば図３の（ｂ）に示すように、バーナー燃焼によって給湯熱交換器３の湯温は急に上昇し、前記オフ温度に早く達する。そして、給湯熱交換器３の湯温がオフ温度以上になってバーナー燃焼が停止されるが、給湯熱交換器３の湯温は、余熱により、温度上昇が急な分だけ高い温度まで上昇し、その後、緩やかに下降していく。
【００５１】
その後、給湯熱交換器３の湯温が前記オン温度以下になると、バーナー燃焼が再開され、バーナー燃焼再開時から給湯熱交換器３の湯温上昇開始までの遅れ時間経過以降に、給湯熱交換器３の湯温が再び急に上昇していく。なお、追い焚き循環通路２４の湯水循環流量が少ないときは、前記の如く、バーナー燃焼停止時の給湯熱交換器３の湯温下降が緩やかなため、給湯熱交換器３の湯温がオン温度以下となってから給湯熱交換器３の湯温が低下する割合は、追い焚き循環通路２４の湯水循環流量が多いときに比べて小さい。
【００５２】
したがって、図３の（ｂ）に示すように、追い焚き循環通路２４の湯水循環流量が前記基準流量よりも小さいときには、検出湯温データの波形の周期Ｔ1は、図３の（ａ）に示す前記基準パターンの周期Ｔ0よりも長くなり、この検出湯温データの波形の湯温上昇傾きθU1は基準パターンの湯温上昇傾きθU0よりも大きくなり、検出湯温データの波形の湯温下降傾きはθD1は基準パターンの湯温下降傾きθD0よりも小さくなる。また、このときの検出湯温データの波形の振幅Ａ1は基準パターンの振幅Ａ0よりも高温側にシフトし、検出湯温データの波形の振幅中心Ｃ1は基準パターンの振幅中心Ｃ0よりも高温となる。
【００５３】
そして、追い焚き循環通路２４の湯水の流れがないときには、例えば図４に示すように、検出湯温データの湯温上昇傾きθUEは極端に大きくなり、湯温下降傾きθDEは非常に小さくなり、周期ＴEは、例えば基準パターンの周期Ｔ0が４０秒程度であるのに対して周期ＴEは５分といったように非常に長くなる。また、このときの検出湯温データの振幅ＡEは基準パターンの振幅Ａ0に比べて大きく高温側にシフトし、検出湯温データの振幅中心点ＣEも基準パターンの振幅中心点Ｃ0に比べて非常に高温となる。
【００５４】
一方、追い焚き循環通路２４の湯水循環流量が前記基準流量よりも多いときには、追い焚き循環通路２４の循環湯水による給湯熱交換器３側からの吸熱量が多いために、給湯熱交換器３の湯温は、バーナー燃焼によって緩やかに上昇し、バーナー燃焼が停止されると急に下降する。
【００５５】
追い焚き流水検知手段５３は、以上のような、追い焚き単独運転中の追い焚き循環通路２４の湯水循環流量によって異なる給湯熱交換器の湯温データ特性に基づき、前記の如く、追い焚き単独運転中に給湯熱交湯温センサ３３によって検出される給湯熱交換器３の検出湯温データを前記基準パターンと比較する。そして、検出湯温データの波形の振幅が基準パターンの振幅Ａ0から予め定められた許容範囲を越えて異なるときには追い焚き循環通路２４に湯水がない、又は湯水の流れがないと判断する。また、検出湯温データの波形の周期が基準パターンの周期Ｔ0から予め定められた許容範囲を越えて異なるときにも、検出湯温データの波形の傾き（湯温上昇傾きと湯温下降傾きの一方又は両方）が基準パターンの対応する傾きθU0とθD0の一方又は両方から予め定められた許容範囲を越えて異なるときにも同様の判断を行う。
【００５６】
なお、追い焚き流水検知手段５３は、前記検出湯温データと前記基準パターンの比較に際し、前記振幅、周期、傾きの少なくとも１つを比較することによって、追い焚き循環通路２４の湯水の流れがない等の判断を行うことができるが、検出湯温データの波形の振幅、周期、傾きの２つ以上を、それぞれ、基準パターンの振幅、周期、傾きと比較して前記流水なし判断を行ってもよい。また、図４に示したような、追い焚き循環通路２４の湯水の流れがないときの給湯熱交換器３の湯温データは、図３の（ａ）に示したような基準パターンとは明らかに違うために、各グラフデータを重ね合わせて、前記流水なしの判断を行うこともできる。
【００５７】
追い焚き流水検知手段５３は、以上のようにして追い焚き循環通路２４の流水なし判断を行い、追い焚き単独運転中に流水なし判断が行われたときには流水なし信号を出力し、流水なし判断が行われないときには流水あり信号を出力し、これらの信号を追い焚き運転異常判断部４９と追い焚きランプ停止手段５２に加える。
【００５８】
また、追い焚き流水検知手段５３は、出湯温度センサ３８により検出される給湯の出湯温度を時々刻々と取り込み、給湯運転と追い焚き運転の同時使用時、すなわち、給湯運転中に追い焚き指示が与えられたときに、出湯温度センサ３８によって検出される給湯出湯温度変化に基づいて追い焚き循環通路２４の湯水の流れを検知する。
【００５９】
前記の如く、一缶二水路風呂給湯器においては、バーナー２の燃焼が行われると、バーナー２の燃焼火炎によって給湯熱交換器３内の湯水の加熱が行われ、このとき、追い焚き指示が与えられて追い焚き循環通路２４の湯水が循環すると、追い焚き循環通路２４の湯水が給湯熱交換器３の湯の熱を奪って追い焚きが行われるために、例えば図５に示すように、給湯運転が行われていて給湯設定温度の湯が出湯されているときに、追い焚き指示が与えられて循環ポンプ２０が駆動されると、この循環ポンプ２０の運転開始に伴い循環する追い焚き循環通路２４の湯水によって給湯熱交換器３の湯の熱が吸熱され、給湯出湯温度が一時的に低下する。なお、一缶二水路風呂給湯器において、給湯運転と追い焚き運転の同時使用時には、給湯出湯温度が給湯設定温度となるようなガス量制御が行われて給湯運転優先のバーナー燃焼が行われるために、前記給湯出湯温度の低下は一時的なものにとどまる。
【００６０】
本実施形態例では、追い焚き流水検知手段５３は、給湯運転中に追い焚き指示が与えられたときに、上記給湯出湯温度の温度変化が予め与えられた温度範囲以上のときには追い焚き循環通路２４の湯水の流れがあると判断し、前記温度変化が前記温度範囲未満のときには追い焚き循環通路２４に湯水がない、又は湯水の流れがないと判断する。この判断結果は、流水なし信号又は流水あり信号として、追い焚き運転異常判断部４９と追い焚きランプ停止手段５２に加えられる。
【００６１】
追い焚きランプ停止手段５２は、非給湯側ランプ停止手段として機能するものであり、図示されていないタイマを有しており、前記追い焚きランプ作動手段５１によって行われる追い焚き燃焼ランプ５４の追い焚き報知動作開始から、例えば１０分間といった予め定められた時間内に、追い焚き流水検知手段５３によって追い焚き循環通路２４の湯水の流れが検知されなかったときには、追い焚き燃焼ランプ５４の追い焚き報知動作を強制的に停止させる。
【００６２】
追い焚き運転異常判断部４９は、非給湯側運転異常判断部として機能するものであり、図示されていないタイマを有しており、前記追い焚きランプ作動手段５１によって行われる追い焚き燃焼ランプ５４の追い焚き報知動作開始から、例えば１０分間といった予め定められた時間内に、追い焚き流水検知手段５３によって追い焚き循環通路２４の湯水の流れが検知されなかったときには、追い焚き異常信号を出力する。この追い焚き異常信号は、追い焚き強制停止手段４８と追い焚き異常報知手段５０とに加えられる。
【００６３】
追い焚き強制停止手段４８は、非給湯側強制停止手段として機能するものであり、追い焚き運転異常判断部４９から追い焚き異常信号が出力されたときに、追い焚き運転を強制的に停止させるものであり、追い焚き運転異常判断部４９から出力される追い焚き異常信号を受けて、燃焼制御部４２に追い焚き運転停止指令を加えて追い焚き運転を強制的に停止させる。
【００６４】
追い焚き異常報知手段５０は、非給湯側異常報知手段として機能するものであり、追い焚き運転異常判断部４９から追い焚き異常信号が出力されたときに、追い焚き運転の異常を報知するものであり、追い焚き運転異常判断部４９から出力される追い焚き異常信号を受けて、例えばブザーや追い焚き異常ランプの点灯などの適宜の手段によって追い焚き運転の異常を報知する。
【００６５】
本実施形態例は以上のように構成されており、本実施形態例の一缶二水路給湯器において、追い焚き運転が行われるときには、図２に示すように、ステップ１００で、追い焚きスイッチがオンされて追い焚き指示が与えられると、ステップ１０１で循環ポンプ２０をオン駆動させるとともに、追い焚きランプ作動手段５１によって直ちに追い焚き燃焼ランプ５４がオンされ、追い焚き報知動作が開始される。その後、追い焚き循環通路２４の湯水の流れを検知せずに、ステップ１０３で、バーナー２の点着火動作が行われて（着火トライ）、バーナー燃焼運転が直ちに開始させられる。
【００６６】
そして、ステップ１０４で、フレームロッド電極がオンしたか否かの判断によってバーナー２の燃焼開始が確認され、バーナー２の燃焼開始が確認されたときには、追い焚き単独運転燃焼制御部４５によって、前記の如く、給湯熱交湯温センサ３３により検出される給湯熱交換器３の湯温とオフ温度とオン温度とに基づいて追い焚き単独運転が行われる。なお、給湯運転中に追い焚き指示が与えられたときには、すでにバーナー２の燃焼が行われているために、ステップ１０３およびステップ１０４の動作は省略され、燃焼制御部４２によって、給湯優先の燃焼運転制御が行われる。
【００６７】
次に、ステップ１０６で、追い焚き流水検知手段５３により、前記の如く、追い焚き単独運転中には給湯熱交湯温センサ３３の湯温データに基づき、給湯運転と追い焚き運転の同時使用時には出湯温度センサ３８の検出温度に基づき、追い焚き循環通路２４の流水検知動作が行われる。そして、ステップ１０６で、追い焚き循環通路２４の流水が検知されたときには、風呂温度センサ３７により検出される風呂温度が風呂設定温度に達するまで追い焚き運転が行われ、ステップ１０７で、追い焚き運転が終了されたことが確認されたときには、ステップ１０８で、追い焚きランプ作動手段５１により追い焚き燃焼ランプ５４の追い焚き報知動作がオフ（停止）され、燃焼制御部４２によって循環ポンプ２０がオフされる。
【００６８】
なお、前記ステップ１０３で、着火トライ動作が行われたにも拘わらず、ステップ１０４でフレームロッド電極のオン確認が行われなかったときには、ステップ１１１で、前記着火トライ動作から５秒経過したか否かが判断され、５秒経過したときには、ステップ１１２でエラー報知が行われる。
【００６９】
また、前記ステップ１０６で、追い焚き流水検知手段５３によって追い焚き循環通路２４の流水検知が行われなかったときには、ステップ１０９で、前記ステップ１０１での追い焚き燃焼ランプ５４のオン動作開始（追い焚き報知動作開始）から１０分以上経過したか否かの判断が行われ、１０分以上経過したときには、ステップ１１０で、追い焚きランプ停止手段５２により追い焚き燃焼ランプ５４が停止されるとともに、追い焚き運転異常判断部４９から追い焚き異常信号が出力される。そして、この追い焚き異常信号を受けて、追い焚き強制停止手段４８により、燃焼制御部４２に追い焚き停止指令が加えられ、循環ポンプ２０が強制的に停止されるとともに、追い焚き異常報知手段５０によって、前記の如く、追い焚き異常報知が行われる。
【００７０】
本実施形態例によれば、以上のように、追い焚きスイッチがオンされて追い焚き指示が与えられたときに、循環ポンプ２０を駆動させるとともに直ちに追い焚き燃焼ランプ５４を追い焚き報知動作開始させるために、従来のように、追い焚きスイッチがオンされてから循環ポンプ２０をオン駆動し、この循環ポンプ２０の駆動によって追い焚き循環通路２４の湯水の流れが生じたことを流水スイッチ３６によって検知した後にバーナー２の燃焼を開始させ、バーナー２の燃焼開始が確認されてから追い焚き燃焼ランプ５４を追い焚き報知動作開始させる場合と異なり、追い焚きスイッチがオンされてから追い焚き燃焼ランプ５４が追い焚き報知動作を開始するまでに殆ど時間を必要としない。そのため、従来のように、追い焚きスイッチがオンされてから追い焚き燃焼ランプ５４がオンするまでに時間がかかることから、風呂の利用者が給湯器の故障であると誤判断してしまうといった問題を回避することが可能となり、利用者が安心して利用できる一缶二水路給湯器とすることができる。
【００７１】
また、本実施形態例によれば、以上のように、追い焚き指示が与えられたときに、循環ポンプ２０を駆動させるとともに、流水スイッチ３６による追い焚き循環通路２４の流水検知なしに追い焚き燃焼を開始させ、追い焚き単独運転時には、給湯熱交湯温センサ３３の検出温度に基づいて追い焚き単独運転燃焼制御部４５によってバーナー２の燃焼オン・オフ制御を行うとともに、追い焚き流水検知手段５３により、給湯熱交湯温センサ３３の検出湯温データに基づいて、追い焚き循環通路２４の湯水の流れを検知することが行われるために、たとえ流水スイッチ３６が故障したとしても、あるいは、流水スイッチ３６を給湯器に設けなくとも、追い焚き循環通路２４の湯水の流れの有無を確認しながら追い焚き単独運転を行うことができる。
【００７２】
そのため、比較的故障しやすい流水スイッチ３６による流水検知に左右されることなく追い焚き運転を行うことが可能となり、流水スイッチ３６の故障による不具合をなくすことができる。また、流水スイッチ３６を省略して給湯器を構成することにより、その分だけ給湯器のシステム構成を簡略化することが可能となり、コストダウンを図ることができる。
【００７３】
また、本実施形態例によれば、追い焚き単独運転燃焼制御部４５によって、前記の如く、前記オフ温度とオン温度に基づいてバーナー２の燃焼オン・オフ制御を行うために、例えば追い焚き循環通路２４の湯水の流れがないときにはバーナー燃焼によって給湯熱交換器３の湯温が急激に上昇し、前記オフ温度に達してすぐにバーナー燃焼停止が行われ、その後、給湯熱交換器３の湯温がオン温度以下にはなかなか下がらないために、給湯熱交換器３の湯温がオフ温度以上になった以降に引き続きバーナー燃焼が行われることはなく、追い焚き熱交換器側の空焚きを防止することができる。
【００７４】
そのうえ、本実施形態例では、追い焚き強制停止手段４８を設け、追い焚き単独運転異常判断部４９から追い焚き異常信号が出力されたときには、追い焚き燃焼を停止させるために、追い焚き熱交換器側の空焚きをより一層確実に防止することができる。
【００７５】
さらに、本実施形態例によれば、追い焚き異常報知手段５０を設け、追い焚き単独運転異常判断部４９から追い焚き異常信号が出力されたときには、追い焚き燃焼の異常を報知するために、給湯器の利用者に、追い焚き循環通路２４の湯水の流れがない等といった追い焚きシステムの異常を報知し、注意を促すことができる。
【００７６】
なお、本発明は上記実施形態例に限定されることはなく様々な実施の態様を採り得る。また、次のような参考例も考えられる。例えば、上記実施形態例では、追い焚きランプ作動手段５１は、追い焚き指示が与えられたときに、循環ポンプ２０駆動させるとともに直ちに追い焚き燃焼ランプ５４によって追い焚き報知動作を開始させるようにしたが、参考例として、例えば、図６に示すように、ステップ１００で、追い焚きスイッチがオンされたときに、ステップ１０２で、追い焚き燃焼強制開始手段４６により、循環ポンプ２０をオン駆動させ、ステップ１０３で、バーナー２の着火トライを行い、ステップ１０４で、フレームロッド電極のオン信号を確認することによってバーナー２の燃焼が確認されたときに、追い焚きランプ作動手段５１によって、直ちに追い焚き燃焼ランプ５４の追い焚き報知動作を開始させる構成とすることも考えられる。
【００７７】
また、上記実施形態例では、追い焚きランプ作動手段５１による追い焚き報知動作は追い焚き燃焼ランプ５４の点灯動作としたが、追い焚き燃焼ランプ５４の追い焚き報知動作は、例えば点滅動作としてもよく、このように、追い焚き報知動作は適宜設定されるものである。
【００７８】
さらに、上記実施形態例では、追い焚き運転異常判断部４９を設け、追い焚き燃焼ランプ５４の追い焚き報知動作開始から予め定められた時間内に追い焚き流水検知手段５３によって追い焚き循環通路２４の湯水の流れが検知されなかったときには、追い焚き異常信号を出力するようにしたが、追い焚き運転異常判断部４９は省略することもできる。
【００７９】
さらに、上記実施形態例では、追い焚き強制停止手段４８と追い焚き異常報知手段５０を設け、追い焚き単独運転異常判断部４９から追い焚き異常信号が出力されたときに、追い焚き強制停止手段４８によって追い焚き燃焼を強制的に停止させ、追い焚き異常報知手段５０によって追い焚き燃焼運転の異常を報知するようにしたが、追い焚き強制停止手段４８と追い焚き異常報知手段５０の一方又は両方を省略して本発明の一缶二水路風呂給湯器を構成することもできる。
【００８０】
このように、追い焚き強制停止手段４８や追い焚き異常報知手段５０を省略した場合にも、一缶二水路風呂給湯器において、例えば追い焚き単独運転燃焼制御部４５によって、上記実施形態例と同様に前記オフ温度とオン温度に基づいてバーナー２の燃焼オン・オフ制御を行うようにすれば、給湯熱交湯温センサ３３の検出湯温がオフ温度以上になった以降にバーナー燃焼が引き続き行われることはないために、追い焚き循環通路２４の湯水の流れがないにも拘わらず、追い焚き燃焼運転が引き続き行われて空焚きが行われるといった危険を回避することができる。
【００８１】
さらに、上記実施形態例では、追い焚き単独運転中の給湯熱交換器３の湯温データの基準パターンとして、例えば図３の（ａ）に示したようなグラフデータを与えたが、基準パターンは、グラフデータの代わりに、例えば、湯温データの波形の振幅、周期、湯温上昇傾き、湯温下降傾き等をまとめた表データ等としてもよく、与えられる湯温データの基準パターンは適宜設定されるものである。
【００８２】
さらに、追い焚き流水検知手段５３によって追い焚き循環通路２４の流水検知を行う方法は、上記実施形態例で用いた方法に限定されることはなく、追い焚き単独運転中に給湯熱交湯温センサ３３により検出される給湯熱交換器３の湯温データに基づいて追い焚き循環通路２４の湯水の流れを検知したり、追い焚き運転と給湯運転の同時使用時に出湯温度センサ３８によって検出される給湯出湯温度変化に基づいて追い焚き循環通路２４の湯水の流れを検知したりすればよく、追い焚き循環通路２４の湯水の流れを検知する具体的な方法は適宜設定されるものである。
【００８３】
また、上記実施形態例では、追い焚き流水検知手段５３によって、追い焚き単独運転中と、追い焚き運転および給湯運転の同時使用時の追い焚き循環通路２４の湯水の流れを検知するようにしたが、追い焚き流水検知手段５３は、例えば追い焚き単独運転中にのみ追い焚き循環通路２４の湯水の流れを検知するようにしてもよい。
【００８４】
さらに、上記実施形態例では、追い焚き指示が与えられたときに、追い焚き燃焼強制開始手段４６により、循環ポンプ２０を直接駆動させたが、例えば追い焚き燃焼強制開始手段４６により燃焼制御部４２にポンプ駆動指令を加え、この指令によって、燃焼制御部４２により循環ポンプ２０を駆動させるようにしてもよい。
【００８５】
さらに、上記実施形態例では、追い焚き燃焼強制開始手段４６を設け、リモコン４１から追い焚き指示が加えられたときに、循環ポンプ２０を駆動させるとともに、追い焚き循環通路２４の流れを検知せずにバーナー燃焼運転を直ちに開始させるようにしたが、追い焚き燃焼強制開始手段４６は省略することもできる。
【００８６】
さらに、上記実施形態例では、追い焚き単独運転燃焼制御部４５は、追い焚き単独運転中に給湯熱交湯温センサ３３により検出される給湯熱交換器３の湯温がオフ温度以上になったときにはバーナー２の燃焼を停止させ、給湯熱交換器３の湯温がオン温度以下になったときにはバーナー２の燃焼を再開させるようにしたが、追い焚き単独運転燃焼制御部４５は、前記給湯熱交換器３の湯温がバーナーの燃焼能力を低下させる設定温度以上になったときにはバーナー２の燃焼能力を低下させ、給湯熱交換器３の湯温がバーナーの燃焼能力を増加させる設定温度以下になったときにはバーナー２の燃焼能力を増加させるようにしてもよい。
【００８７】
さらに、上記実施形態例では、給湯熱交湯温センサ３３は給湯熱交換器３のＵ字管に設けられていたが、図７の鎖線に示すように、給湯熱交換器３の出側に設けるようにしてもよい。
【００８８】
さらに、上記実施形態例では、給湯熱交換器３の湯温を給湯熱交湯温センサ３３から直接的に検出していたが、上記給湯熱交換器３の湯温は排気温度に基づき間接的に検出することが可能であることから、排気温度と給湯熱交換器３の湯温との関係データを予め実験や演算等により求めて与えておき、その関係データと排気温度によって給湯熱交換器３の湯温を間接的に検出する給湯熱交換器湯温検出手段を設けるようにしてもよい。より望ましくは、上記関係データと排気温度に基づき検出した給湯熱交換器湯温を、風呂温度センサ３７により検出される追い焚き循環通路の湯温や、予め定まる追い焚き循環湯量や、給気温度を考慮して補正することによって、より正確な給湯熱交換器３の湯温を検出することが可能である。
【００８９】
さらに、上記実施形態例では、流水スイッチ３６を省略したが、流水スイッチ３６を設けて一缶二水路風呂給湯器を構成しても構わない。
【００９０】
さらに、上記各実施形態例は図７に示す一缶二水路風呂給湯器を例にして説明したが、一缶二水路タイプで、給湯機能と追い焚き機能を備えている一缶二水路風呂給湯器であれば、この発明を適用することができる。
【００９１】
さらに、本発明は、上記実施形態例のような一缶二水路風呂給湯器にのみ適用されるとは限らず、例えば図９に示したような給湯暖房機等のように、給湯熱交換器３と、循環ポンプ２０を備えた非給湯側循環通路に組み込まれ非給湯側循環通路を循環する熱媒体を加熱する非給湯側熱交換器等を有し、給湯熱交換器と非給湯側熱交換器が一体化され、給湯熱交換器と非給湯側熱交換器を共通に加熱するバーナーが設けられており、給湯運転機能と非給湯側熱交換器を有する様々な一缶二水路給湯器に広く適用されるものである。
【００９２】
【発明の効果】
本発明によれば、非給湯側ランプ作動手段を設け、非給湯側運転指示が与えられたときに、循環ポンプを駆動させるとともに直ちに非給湯側燃焼ランプを報知動作開始させるようにしたものであるから、非給湯側循環通路の熱媒体の流れを検知した後にバーナー燃焼運転を開始し、このバーナーの燃焼が確認されたときに非給湯側燃焼ランプを報知動作開始させていた従来の給湯器と異なり、非給湯側運転指示が与えられてから非常に短時間で非給湯側燃焼ランプを報知動作開始させることができる。
【００９３】
そのため、給湯器の利用者が、例えばリモコンの追い焚きスイッチなどを操作して追い焚き等の非給湯側運転指示を与えたにもかかわらず、非給湯側燃焼ランプがなかなか動作しないために、給湯器の故障ではないかと誤判断して不安になるといった問題を解消することが可能となり、利用者が安心して利用できる一缶二水路給湯器とすることができる。
【００９４】
また、給湯熱交換器の湯温を検出する給湯熱交換器湯温検出手段と、給湯が行われず非給湯側運転のみを行う非給湯側単独運転中に該給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる非給湯側単独運転燃焼制御部とが設けられている本発明によれば、非給湯側運転中の給湯熱交換器の湯温と上記各設定温度に基づいてバーナーの燃焼のオン・オフ制御を行うことにより、非給湯側単独運転中に給湯熱交換器の滞留湯がオフ温度を大幅に越えて高温になり、高温出湯を招くといったおそれを回避することができる。また、非給湯側循環通路の熱媒体の流れがないときには、給湯熱交換器の湯温がすぐにバーナー燃焼を停止させる設定温度に達してバーナー燃焼が停止されるために、バーナー給湯熱交換器の湯温がこの設定温度に達するまでのほんのわずかな時間しか非給湯側燃焼が行われず、非給湯側熱交換器の空焚きを防止することができる。
【００９５】
さらに、給湯熱交換器の湯温を検出する給湯熱交換器湯温検出手段と給湯が行われず非給湯側運転のみを行う非給湯側単独運転中に該給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御部とが設けられている本発明によれば、給湯熱交換器の湯温に基づいて、非給湯側単独運転燃焼制御部によってバーナーの燃焼能力の増加と低下の制御を行うことにより、バーナー燃焼のオン・オフ制御を行う場合と同様の効果を奏することができる。
【００９６】
さらに、非給湯側単独運転中の給湯熱交換器の湯温データに基づいて非給湯側循環通路の熱媒体の流れを検知する非給湯側流れ検知手段や、給湯運転中に非給湯側指示が与えられたときの給湯出湯温度変化に基づいて非給湯側循環通路の熱媒体の流れを検知する非給湯側流れ検知手段を設け、非給湯側燃焼ランプの報知動作開始から予め定められた時間内に非給湯側流れ検知手段によって非給湯側循環通路の熱媒体の流れが検知されなかったときには、非給湯側燃焼ランプの報知動作を停止させる非給湯側燃焼ランプ停止手段を設けた本発明によれば、非給湯側循環通路の熱媒体の流れが検知されなかったときに、前記予め定められた時間経過時に非給湯側燃焼ランプの報知動作を停止させることにより、例えば非給湯側循環通路に熱媒体がないといった異常に対する給湯器の利用者の注意を促すことができる。
【００９７】
さらに、非給湯側燃焼ランプの報知動作開始から予め定められた時間内に、非給湯側流れ検知手段によって非給湯側循環通路の熱媒体の流れが検知されなかったときには非給湯側異常信号を出力する非給湯側運転異常判断部が設けられている本発明によれば、非給湯側運転異常判断部により出力される非給湯側異常信号を利用して、例えば、非給湯側運転を強制的に停止させたり、非給湯側運転の異常を報知させたりすることが可能となる。そして、非給湯側運転を強制的に停止させる非給湯側強制停止手段を設けることにより、非給湯側循環通路に熱媒体がない、又は熱媒体の流れがないときに非給湯側運転を強制的に停止させることにより、一缶二水路給湯器の安全性をより一層向上させることが可能となる。
【００９８】
また、非給湯側運転の異常を報知する非給湯側異常報知手段を設けることにより、非給湯側運転の異常を報知して、給湯器の利用者に注意を促すことができる。
【００９９】
さらに、非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転とした本発明によれば、以上のような優れた効果を奏する一缶二水路風呂給湯器を提供することができる。
【図面の簡単な説明】
【図１】本発明に係る一缶二水路給湯器の一実施形態例の制御構成を示すブロック図である。
【図２】上記実施形態例の追い焚き運転動作を示すフローチャートである。
【図３】上記実施形態例の一缶二水路給湯器において、追い焚き単独運転燃焼制御部４５によって給湯熱交換器の温度とオフ温度とオン温度に基づきバーナーのオン・オフ燃焼制御を行ったときの、給湯熱交換器湯温データの例を示すグラフである。
【図４】上記実施形態例の一缶二水路給湯器において、追い焚き循環通路に湯水がない、又は湯水の流れがないときに、追い焚き単独運転燃焼制御部４５によって、上記バーナーのオン・オフ燃焼制御動作を行ったときの給湯熱交換器の湯温データを示すグラフである。
【図５】給湯運転中に追い焚き運転が開始されたときに、追い焚き循環通路の湯水の流れがあるときに生じる給湯出湯温度変化の一例を示すグラフである。
【図６】  本発明に係る一缶二水路給湯器の実施形態例の構成を用いて行うことができる参考例の追い焚き運転動作を示すフローチャートである。
【図７】一缶二水路風呂給湯器のモデル例を示すシステム構成図である。
【図８】従来の一缶二水路風呂給湯器の動作を示すフローチャートである。
【図９】一缶二水路給湯器としての暖房給湯機のシステム構成例の要部説明図である。
【符号の説明】
３  給湯熱交換器
２４  追い焚き循環通路
３３  給湯熱交湯温センサ
４４  データ格納部
４５  追い焚き単独燃焼制御部
４６  追い焚き燃焼強制開始手段
４８  追い焚き強制停止手段
４９  追い焚き運転異常判断
５０  追い焚き異常報知手段
５１  追い焚きランプ作動手段
５２  追い焚きランプ停止手段
５３  追い焚き流水検知手段
５４  追い焚き燃焼ランプ
【図１】
0003926909.tif 000002
【図２】
0003926909.tif 000003
【図３】
0003926909.tif 000004
【図４】
0003926909.tif 000005
【図５】
0003926909.tif 000006
【図６】
0003926909.tif 000007
【図７】
0003926909.tif 000008
【図８】
0003926909.tif 000009
【図９】
0003926909.tif 000010